(57)【特許請求の範囲】
【請求項１】
苗載台の下部に苗取出し口を開口し、該苗取出し口より下方へ向けて前方ガイド部材及び左右一対の側方ガイド部材を延設し、前方及び側方ガイド部材をコ字型形状の固定金具により連結するとともに、該前方ガイド部材下部に前記固定金具を挿通する長孔を設けたことを特徴とする田植機の苗ガイド構造。
【請求項２】
前記固定金具の前記前方ガイド部材への挿設箇所を凹形状に構成したことを特徴とする請求項１記載の田植機の苗ガイド構造。
【発明の詳細な説明】
【０００１】
【発明の属する技術分野】
本発明は、田植機の苗ガイド構造に関する。
【０００２】
【従来の技術】
従来より、苗載台より一株の苗を苗載台下部に配設されている苗取出し口より切り出し、その苗を植付爪にて挟持搬送して圃場に植え付ける田植機において、苗取出し口に苗ガイドを設ける構造が知られており、該ガイド部材は植付爪の挟持搬送経路に沿って配設され、苗取出し口より下方に向けて左右一対の側方ガイド部材を延設して、植付爪にて挟持搬送される苗の左右方向への姿勢の乱れを規制しながら、圃場に植え付けるようにしていた。
【０００３】
【発明が解決しようとしている課題】
前記のような苗ガイド構造では、側方にのみガイド部材が設けられていたので、植付作業時に各ガイド部材が振動しやすく、挟持搬送される苗の植付姿勢に悪影響を与えることが多かった。
この課題を克服するために、各ガイド部材を下部で相互に連結する苗ガイド構造が望まれていたのである。さらには、構造が単純かつ高い精度の要求されない部材を用いた連結機構が望まれていた。
【０００４】
【課題を解決するための手段】
本発明の解決しようとしている課題は以上の如くであり、次に該課題を解決するための手段を説明する。
請求項１においては、苗載台の下部に苗取出し口を開口し、該苗取出し口より下方へ向けて前方ガイド部材及び左右一対の側方ガイド部材を延設し、前方及び側方ガイド部材をコ字型形状の固定金具により連結するとともに、該前方ガイド部材下部に前記固定金具を挿通する長孔を設けた。
【０００５】
請求項２においては、前記固定金具の前記前方ガイド部材への挿設箇所を凹形状に構成した。
【０００６】
【発明の実施の形態】
次に、本発明の実施例を図面に基づいて詳述する。図１は乗用田植機の側面図であり、図２は同じく平面図であり、図３は苗ガイド構造を示す側面図であり、図４は苗ガイドを示す側面図であり、図５は同じく図３におけるＡ矢視図であり、図６は苗ガイド構成を示す斜視図であり、図７は本発明の固定金具を示す平面図である。
【０００７】
図１、図２において、１は作業者が搭乗する走行車であり、エンジン２を車体フレーム前部上方に搭載させ、ミッションケース４前方にフロントアクスルケース５を介して走行用前輪６を支持させると共に、前記ミッションケース４の後部にリヤアクスルケース７を連設し、前記リヤアクスルケース７に走行用後輪８を支持させる。そして、前記エンジン２等を覆うボンネット９両側に予備苗載台０を取り付けると共に、ステップ１１を介して作業者が搭乗する車体カバー１２上部に運転席１３を取付け、その運転席１３の前方で前記ボンネット９後部に操向ハンドル１４を設ける。
【０００８】
また、図中１５は１０条植え用の苗載台１６並びに複数の植付爪１７などを具備する植付部であり、前高後低の合成樹脂製の前傾式苗載台１６を下部レール１８及びガイドレール１９を介して植付ケース２０に左右往復摺動自在に支持させると共に、一方向に等速回転させるロータリケース２１を前記植付ケース２０に支持させ、該ロータリケース２１の回転軸芯を中心に対称位置に一対の爪ケース２２・２２を配設し、その爪ケース２２・２２先端に植付爪１７・１７を取り付ける。そして苗載台本体１６ａ下端には苗ガイド４０が取り付けられている。また、前記植付ケース２０の前側にローリング支点軸を介して支持フレーム２４を設け、トップリンク２５及びロワーリンク２６を含むリンク機構２７を介して走行車１後側に支持フレーム２４を連結させ、前記リンク機構２７を介して植付部１５を昇降させる昇降シリンダ２８をロワーリンク２６に連結させ、前記前後輪６・８を操向駆動して移動すると同時に、左右に往復摺動させる苗載台１６から一株分の苗を植付爪１７によって取出し、連続的に苗植え作業を行うように構成する。
【０００９】
苗載台本体１６ａ下端には、図２に示すように、苗取出し板５０が配設されており、各植付爪１７と前後方向に対向して、苗取出し口５０ａ・５０ａ・・・が開口されている。
また該苗載台１６ａ上には、図示せぬ苗マットが載置されており、該苗マットの下端部を該植付爪１７により切り取り植付作業を行う。
【００１０】
また、図中２９は走行変速レバー、３０は植付昇降兼作業走行変速用副変速レバー、３１は植付け感度調節レバー、３２は主クラッチペダル、３３・３３は左右ブレーキペダル、３４は均平用センターフロート、３５は均平用サイドフロート、３６は１０条用の側条施肥部である。
【００１１】
次に、前記苗ガイドについて説明する。
図１、図５に示すように、前記苗取出し口５０ａより下方に向けて前記苗ガイド４０が延設されている。該苗ガイド４０は、図４、図６に示すように、前方ガイド４１、側方ガイド４２・４２、これらのガイド部材を該苗取出し板５０と接続する取口金具４３・４３、下方で該ガイド部材を固定する固定金具４４から構成される。そして、該苗取出し板５０の該苗取出し口５０ａ周辺部に、上方より取口金具４３・４３、前方ガイド４１、側方ガイド４２・４２が順に配設されている。該ガイド部材の上部での固定方法は、ボルト４５・４５によって上方より該苗取出し板５０を介して該ガイド部材の後端部が螺設固定され、同じくボルト４５・４５によって下方より該ガイド部材前端部が該苗取出し板５０に螺設固定されている。
【００１２】
本発明の苗ガイドの固定金具について説明する。
前記固定金具４４は、図７に示すように、丸棒を略コ字型形状に形成したものであり、該コ字型を形成する平行部分４４ａに対する橋架部分４４ｂの中央部は、凹型形状の凹部４４ｃを形成している。
【００１３】
前記側方ガイド４２の外側面の下部に挿通部４２ａが略前後方向に設けられ、前記前方ガイド４１下部の前部に上下方向に長い長孔４１ａが左右方向に開口されている。そして、前記固定金具４４の凹部４４ｃが長孔４１ａに位置するように挿通して、固定金具４４の平行部分４４ａ・４４ａをそれぞれ挿通部４２ａ・４２ａに挿入して、該前方ガイド４１、該側方ガイド４２・４２が連結固定される。
【００１４】
前記長孔４１ａが前方ガイド４１下部に設けられている効果について述べる。固定金具４４が平行部分４４ａ・４４ａで側方ガイド４２・４２に固定されるとき、該固定金具４４の一部分たる橋架部分４４ｂの位置も必然的に決定される。このとき前方ガイド４１に該固定金具４４の外径と同じ幅の孔しか設けられていないとすると、ガイド部材の寸法にずれがあった場合に、該固定金具４４を取り付けることが困難になるか、あるいは該固定金具４４を突っ張らせてしまうこととなってしまう。該長孔４１ａを設けて該橋架部分４４ｂの配設位置に上下方向に関して自由度を与えることで、該ガイド部材の精度に関わりなく、該固定金具４４が歪むことを防止しているのである。
また、該橋架部分４４ｂ中央部の凹部４４ｃが凹型形状に形成されている効果は次のようなものである。該固定金具４４の凹部４４ｃは、該長孔４１ａで該前方ガイド４１に嵌装されている。該凹部４４ｃは該橋架部分４４ｂと同軸ではないため、一旦嵌め込まれた該前方ガイド４１は該橋架部分４４ｂまでずれることはない。この構成により、該前方ガイド４１の左右方向の横ずれ防止が、単純な構造で実現できるのである。
【００１５】
前述のような、該固定金具４４の該ガイド部材への取付けにより、該ガイド部材の下部での固定が行われる。
これにより苗ガイド４０は、該苗ガイド４０を構成する各ガイド部材が独立に配設されるのではなく一体的に形成されて、剛性や耐振動性を向上させている。
【００１６】
また、苗ガイド４０は側面視では、図３、図４に示すように、植付爪１７の先端が描く軌跡に沿って爪形状に形成されており、前記前方ガイド４１は該軌跡の前方に配設され、前記側方ガイド４２は、該前方ガイド４１の後方に配設されている。該前方ガイド４１は該側方ガイド４２より下方に長く延出している。
【００１７】
以上構成により、苗マットより取り出された一株の苗を挟持搬送する植付爪１７は、前方及び側方の前記ガイド部材によってガイドされ、前記苗取出し口５０ａより圃場面まで植付姿勢を良好に確保することができる。しかも該苗ガイド４０の剛性、耐振動性が高く保持されているため、該ガイド部材が個別に振動することがなく、植付姿勢への悪影響を防止している。
【００１８】
また、前記ガイド部材が前述のように、苗取出し板５０下方に重ね合わせる形で配設されるため、苗取出し口５０ａが苗載台本体１６ａに沿って延出される形となり、苗が挟持搬送ガイドされる経路が長く構成されている。
さらに、前方ガイド４１は、上部前方では平板を上方へ屈曲した形で突起部４１ｂが形成され、該突起部４１ｂの高さは前記取口金具４３の厚みより長く設けられており、該苗取出し板５０と該前方ガイド４１上部との間に苗の根が溜まり込むの防止している。この構成により、苗ガイド４０等の部品追加を行っても、根が溜まり込み、挟持搬送される苗の進路上に溢れ出ることによって、該苗の植付姿勢が乱されることがないのである。
【００１９】
【発明の効果】
本発明は以上のように構成したので、次のような効果を奏するのである。即ち、請求項１記載の如く、苗載台の下部に苗取出し口を開口し、該苗取出し口より下方へ向けて前方ガイド部材及び左右一対の側方ガイド部材を延設し、前方及び側方ガイド部材をコ字型形状の固定金具により連結するとともに、該前方ガイド部材下部に前記固定金具を挿通する長孔を設けたので、固定金具は長孔の長さだけ上下方向の挿設位置で自由度が与えられ、前方ガイド部材に該固定金具を挿通して左右一対の側方ガイド部材と連結しても、固定金具や各ガイド部材が突っ張って歪むことがないのである。
【００２０】
請求項２記載の如く、前記固定金具の前記前方ガイド部材への挿設箇所を凹形状に構成したので、単純な構造で前方ガイド部材の横ずれを防止することができる。
【図面の簡単な説明】
【図１】乗用田植機の側面図である。
【図２】同じく平面図である。
【図３】苗ガイド構造を示す側面図である。
【図４】苗ガイドを示す側面図である。
【図５】同じく図３におけるＡ矢視図である。
【図６】苗ガイド構成を示す斜視図である。
【図７】本発明の固定金具を示す平面図である。
【符号の説明】
４０  苗ガイド
４１  前方ガイド
４１ａ  長孔
４１ｂ  突起部
４２  側方ガイド
４２ａ  挿通部
４３  取口金具
４４  固定金具
４４ａ  平行部分
４４ｂ  橋架部分
４４ｃ  凹部
４５  ボルト
５０  苗取出し板
５０ａ  苗取出し口
【図１】
0003984765.tif 000002
【図２】
0003984765.tif 000003
【図３】
0003984765.tif 000004
【図４】
0003984765.tif 000005
【図５】
0003984765.tif 000006
【図６】
0003984765.tif 000007
【図７】
0003984765.tif 000008